(57)【要約】      （修正有）【課題】ディスプレイを取り付けパネルへ着脱するときの容易性および安定性を向上させることができるマルチディスプレイシステムを提供する。【解決手段】マルチディスプレイシステムは、映像を表示する複数のディスプレイと、複数のディスプレイを取り付ける取り付けパネル２０と、各ディスプレイ１０を取り付けパネル２０に係合し、各ディスプレイ１０と取り付けパネル２０との係合を外部からの磁力によって解除するように構成された係合機構４０とを備える。【選択図】図４
2015210429.tif 000002
【特許請求の範囲】
【請求項１】
映像を表示する複数のディスプレイと、
前記複数のディスプレイを取り付ける取り付けパネルと、
前記複数のディスプレイの各々の背面および前記取り付けパネルに設けられた係合機構であって、前記各々を前記取り付けパネルに係合し、前記各々と前記取り付けパネルとの係合を外部からの磁力によって解除するように構成された係合機構と
を備えた、マルチディスプレイシステム。
【請求項２】
前記係合機構は、前記複数のディスプレイの各々を前記取り付けパネルに機械的または磁気的に係合する、請求項１に記載のマルチディスプレイシステム。
【請求項３】
前記係合機構は、強磁性体から形成された磁性体部と、前記磁性体部に支持された係合部材と、前記磁性体部に付勢力を付与する弾性部材と、前記係合部材と係合する係合穴とを有し、前記磁性体部、係合部材および弾性部材は、前記複数のディスプレイの各々の背面に設けられ、前記係合穴は、前記取り付けパネルに設けられており、
前記磁性体部が、前記外部からの磁力を受けて、前記付勢力の方向とは反対方向に移動することによって、前記係合部材と前記係合穴との係合が解除される、請求項２に記載のマルチディスプレイシステム。
【請求項４】
前記係合機構は、前記磁性体部の一端を回転自在に支持する回転軸をさらに有し、
前記磁性体部が、前記外部からの磁力を受けて、前記付勢力の方向とは反対方向に前記回転軸の周りに回転することによって、前記係合部材と前記係合穴との係合は解除される、請求項３に記載のマルチディスプレイシステム。
【請求項５】
前記係合機構は、前記背面に平行な方向に摺動自在に前記磁性体部を支持する摺動支持部をさらに有し、
前記磁性体部が、前記外部からの磁力を受けて、前記付勢力の方向とは反対方向に摺動することによって、前記係合部材と前記係合穴との係合は解除される、請求項３に記載のマルチディスプレイシステム。
【請求項６】
前記取り付けパネルには、前記複数のディスプレイの各々を取り付ける位置を決定する複数の位置決めピン、および前記複数の位置決めピンと嵌合する複数の嵌合穴の一方が配置され、前記背面には、前記複数の位置決めピンおよび嵌合穴の他方が配置されている、請求項１から５のいずれかに記載のマルチディスプレイシステム。
【請求項７】
前記位置決めピンの高さは、１ｍｍ以上である、請求項６に記載のマルチディスプレイシステム。
【請求項８】
前記取り付けパネルには、電源ケーブルに接続する第１のコネクタが設けられ、前記背面には、前記第１のコネクタと電気的に接続する第２のコネクタが設けられている、請求項１から７のいずれかに記載のマルチディスプレイシステム。
【請求項９】
前記背面の一部には、前記複数のディスプレイの各々を駆動する駆動回路が集積された回路基板を収納する収納部が設けられ、前記取り付けパネルには、前記収納部と嵌合する収納穴が設けられている、請求項１から８のいずれかにに記載のマルチディスプレイシステム。
【請求項１０】
前記複数のディスプレイの各々を吸着し、前記取り付けパネルへの着脱に用いられるマグネットハンドをさらに備え、
前記マグネットハンドには、前記背面における前記係合機構が設けられた位置に対応した位置に磁石が配置されており、
前記磁性体部が前記磁石から磁力を受けて、前記係合部材と前記係合穴との係合は解除される、請求項３から５のいずれかに記載のマルチディスプレイシステム。
【請求項１１】
前記マグネットハンドには、前記磁石に隣接したヨークがさらに配置されている、請求項１０に記載のマルチディスプレイシステム。
【発明の詳細な説明】
【技術分野】
【０００１】
本願は、壁面等への着脱が可能なマルチディスプレイシステムに関する。
【背景技術】
【０００２】
例えば屋外または屋内の広場において、非常に大きな映像を映すときに用いられるマルチディスプレイが知られている。マルチディスプレイは、壁面等に設けられた取り付けパネル（以下、単に「パネル」と称する場合がある。）に、映像を表示する複数のディスプレイを取り付けることによって実現される。例えば、画面サイズが１０インチであるディスプレイを１０×１０の行列状に配置することにより、大画面を構成することができる。なお、本願明細書では、マルチディスプレイ、パネルおよび後述するマグネットハンド等を含めて、これらを「マルチディスプレイシステム」と定義する。
【０００３】
マルチディスプレイシステムでは、ディスプレイの表示面が前面を向くように配置され、ディスプレイをパネルに固定する留め具などは、視認されないようにディスプレイの背面に設けられている。
【０００４】
ディスプレイをパネルに固定する方法としては、一般的に、ボルト・ナットを用いて機械的に固定する方法、または磁石を用いて磁気的に固定する方法が用いられている。
【０００５】
機械的に固定する方法では、その固定の際に、マルチディスプレイの後方から各ディスプレイをボルトおよびナットを用いて固定する。これにより、ディスプレイをパネルに強固に固定することができる。
【０００６】
また、磁気的に固定する方法では、マルチディスプレイの後方ではなく前方から、磁石の磁力によって、ディスプレイをパネルに簡単に固定することができる。
【０００７】
特許文献１に開示されたマルチディスプレイでは、取り付け時には、磁石を用いて各ディスプレイとパネルとを吸着する。取り外し時には、各ディスプレイの間の間隙に薄板状の治具を引っ掛けてそれらを取り外す。これにより、パネルへのディスプレイの着脱が容易になる。
【先行技術文献】
【特許文献】
【０００８】
【特許文献１】特開平７−２５３７５４号公報
【発明の概要】
【発明が解決しようとする課題】
【０００９】
上述した従来の技術では、ディスプレイを取り付けパネルへ着脱するときの容易性および安全性の向上が求められていた。
【００１０】
本願の、限定的ではない例示的なある実施の形態は、ディスプレイを取り付けパネルへ着脱するときの容易性および安定性を向上させることができるマルチディスプレイシステムを提供する。
【課題を解決するための手段】
【００１１】
上記課題を解決するために、本発明の一態様は、映像を表示する複数のディスプレイと、前記複数のディスプレイを取り付ける取り付けパネルと、前記複数のディスプレイの各々の背面および前記取り付けパネルに設けられた係合機構であって、前記各々を前記取り付けパネルに係合し、前記各々と前記取り付けパネルとの係合を外部からの磁力によって解除するように構成された係合機構とを備えた、マルチディスプレイシステムを含む。
【発明の効果】
【００１２】
本発明の一態様によれば、ディスプレイを取り付けパネルへ着脱するときの容易性および安全性を向上させることができる。
【図面の簡単な説明】
【００１３】
【図１】（ａ）は、取り付けパネル２０の模式的な正面図であり、（ｂ）は、マルチディスプレイシステム１の模式的な側面図である。
【図２】（ａ）は、ディスプレイ１０の模式的な正面図であり、（ｂ）は、ディスプレイ１０の模式的な側面図であり、（ｃ）は、ディスプレイ１０の模式的な背面図であり、（ｄ）は、位置決めピン１３の模式図である。
【図３】（ａ）および（ｂ）は、平面な壁面３０にディスプレイ１０を配置する構成を示した模式的な側面図であり、（ｃ）および（ｄ）は、凹面である壁面３０にディスプレイ１０を配置する構成を示した模式的な側面図であり、（ｅ）および（ｆ）は、凸面である壁面３０にディスプレイ１０を配置する構成を示した模式的な側面図である。
【図４】（ａ）から（ｄ）の上段は、例示的な実施の形態１によるマルチディスプレイシステム１を側面から見たときの係合機構４０の側面図であり、下段は、ディスプレイ１０を背面から見たときの磁気留め具１２の背面図である。
【図５】（ａ）は、マグネットハンド７０の構造を示す模式図であり、（ｂ）は、マグネットハンド７０にディスプレイ１０を吸着させた状態を示す模式図であり、（ｃ）は、ディスプレイ１０をマグネットハンド７０に吸着させたまま、マグネットハンド７０を手前に引いている状態を示す模式図であり、（ｄ）は、マグネットハンド７０からディスプレイ１０を取り外している状態を示す模式図である。
【図６】（ａ）から（ｄ）の上段は、例示的な実施の形態２によるマルチディスプレイシステム１を側面から見たときの係合機構４０Ａの側面図であり、下段は、ディスプレイ１０を背面から見たときの磁気留め具１２の背面図である。
【図７】（ａ）から（ｄ）の上段は、例示的な実施の形態２の変形例によるマルチディスプレイシステム１を側面から見たときの係合機構４０Ｂの側面図であり、下段は、ディスプレイ１０を背面から見たときの磁気留め具１２の背面図である。
【図８】（ａ）から（ｄ）の上段は、例示的な他の変形例によるマルチディスプレイシステム１を側面から見たときの係合機構４０Ｃの側面図であり、下段は、ディスプレイ１０を背面から見たときの磁気留め具１２の背面図である。
【発明を実施するための形態】
【００１４】
以下、本願発明者が考察した問題点を説明する。
【００１５】
マルチディスプレイシステムを構築した後のメンテナンスにおいて、複数のディスプレイが行列状に配置されているものの中から、例えば、故障したディスプレイだけを交換し、または分解して清掃を行う場合には以下に示すような課題が発生する。
【００１６】
各ディスプレイが機械的に固定されている場合、メンテナンスの作業員は、その取り外しに際して、マルチディスプレイの後方に回って、その機械的な固定を解除しなければならない。この場合、取り外し作業が複雑になり、作業時間がかかってしまう。また、交換および清掃作業等を円滑に行うためには、複数の作業員が必要になり人件費も嵩んでしまう。
【００１７】
各ディスプレイが磁気的に固定されている場合、それを取り外す方法としては、ディスプレイの表示面を吸着して取り外す方法と、各ディスプレイの隙間にマイナスドライバーのような形状を有する治具を差し込んで取り外す方法とが考えられる。液晶または有機ＥＬディスプレイは２枚の基材を張り合わせて構成される。そのため、表示面を吸着する方法では、磁石の吸着力に逆らってディスプレイを取り外すときに、ディスプレイが損傷してしまうおそれがあり、ディスプレイをパネルに強固に吸着できない問題がある。また、治具を差し込む方法では、各ディスプレイの間にそれを差し込むための隙間を確保しておく必要がある。その場合、各ディスプレイの間に目地が視認されてしまうので、表示品位が低下してしまう。強い吸着力を有する磁石などを用いると、ディスプレイを強固に固定することができる。しかしながら、強い吸着力に逆らってディスプレイを取り外すことは容易でなく、隣接するディスプレイを傷つけてしまうおそれが高まる。
【００１８】
このような従来技術の課題に鑑み、本願発明者は、新規な構造を備えたマルチディスプレイシステムに想到した。本発明の一態様の概要は以下のとおりである。
【００１９】
本発明の一態様であるマルチディスプレイシステムは、映像を表示する複数のディスプレイと、前記複数のディスプレイを取り付ける取り付けパネルと、前記複数のディスプレイの各々の背面および前記取り付けパネルに設けられた係合機構であって、前記各々を前記取り付けパネルに係合し、前記各々と前記取り付けパネルとの係合を外部からの磁力によって解除するように構成された係合機構とを備える。
【００２０】
ある態様において、前記係合機構は、前記複数のディスプレイの各々を前記取り付けパネルに機械的または磁気的に係合してもよい。
【００２１】
ある態様において、前記係合機構は、強磁性体から形成された磁性体部と、前記磁性体部に支持された係合部材と、前記磁性体部に付勢力を付与する弾性部材と、前記係合部材と係合する係合穴とを有し、前記磁性体部、係合部材および弾性部材は、前記複数のディスプレイの各々の背面に設けられ、前記係合穴は、前記取り付けパネルに設けられており、前記磁性体部が、前記外部からの磁力を受けて、前記付勢力の方向とは反対方向に移動することによって、前記係合部材と前記係合穴との係合が解除されてもよい。
【００２２】
ある態様において、前記係合機構は、前記磁性体部の一端を回転自在に支持する回転軸をさらに有し、前記磁性体部が、前記外部からの磁力を受けて、前記付勢力の方向とは反対方向に前記回転軸の周りに回転することによって、前記係合部材と前記係合穴との係合は解除されてもよい。
【００２３】
ある態様において、前記係合機構は、前記背面に平行な方向に摺動自在に前記磁性体部を支持する摺動支持部をさらに有し、前記磁性体部が、前記外部からの磁力を受けて、前記付勢力の方向とは反対方向に摺動することによって、前記係合部材と前記係合穴との係合は解除されてもよい。
【００２４】
ある態様において、前記取り付けパネルには、前記複数のディスプレイの各々を取り付ける位置を決定する複数の位置決めピン、および前記複数の位置決めピンと嵌合する複数の嵌合穴の一方が配置され、前記背面には、前記複数の位置決めピンおよび嵌合穴の他方が配置されていてもよい。
【００２５】
ある態様において、前記位置決めピンの高さは、１ｍｍ以上であってもよい。
【００２６】
ある態様において、前記取り付けパネルには、電源ケーブルに接続する第１のコネクタが設けられ、前記背面には、前記第１のコネクタと電気的に接続する第２のコネクタが設けられていてもよい。
【００２７】
ある態様において、前記背面の一部には、前記複数のディスプレイの各々を駆動する駆動回路が集積された回路基板を収納する収納部が設けられ、前記取り付けパネルには、前記収納部と嵌合する収納穴が設けられていてもよい。
【００２８】
ある態様において、前記複数のディスプレイの各々を吸着し、前記取り付けパネルへの着脱に用いられるマグネットハンドをさらに備え、前記マグネットハンドには、前記背面における前記係合機構が設けられた位置に対応した位置に磁石が配置されており、前記磁性体部が前記磁石から磁力を受けて、前記係合部材と前記係合穴との係合は解除されてもよい。
【００２９】
ある態様において、前記磁石に隣接したヨークがさらに配置されていてもよい。
【００３０】
本発明の一態様によれば、ディスプレイを取り付けパネルへ着脱するときの容易性および安全性を向上させることができる。ディスプレイを前方から簡単に取り付けおよび取り外しすることができる。また、ディスプレイを取り付けパネルに強固に固定できるので、ディスプレイの落下および盗難を防止することができる。
【００３１】
以下、添付の図面を参照しながら、本発明によるマルチディスプレイシステムの実施の形態を説明する。以下の説明において、同一または類似する構成要素については同一の参照符号を付している。なお、本発明の実施の形態によるマルチディスプレイシステムは、以下で例示するものに限られない。
【００３２】
（実施の形態１）
図１および２を参照して、本実施の形態によるマルチディスプレイシステム１の構成を説明する。
【００３３】
図１は、本実施の形態によるマルチディスプレイシステム１の構成を示す模式図である。図１（ａ）は、取り付けパネル２０の正面図であり、図１（ｂ）は、マルチディスプレイシステム１の側面図である。
【００３４】
マルチディスプレイシステム１は、複数のディスプレイ１０と、取り付けパネル２０とを備えている。なお、図１（ａ）には、複数のディスプレイのうち１つのディスプレイのみを示している。
【００３５】
ディスプレイ１０は、映像を表示する装置である。例えば、ディスプレイ１０は、液晶ディスプレイ、または有機ＥＬディスプレイである。ディスプレイ１０のサイズは、例えば１０インチである。
【００３６】
図１には、９つのディスプレイ１０を３×３の行列状に取り付けパネル２０に固定する例を示している。図１（ｂ）に示すように、取り付けパネル２０には、ビス２５を埋め込む貫通型の支柱２６が設けられている。取り付けパネル２０は、ビス２５によって壁面３０にビス止めされている。
【００３７】
図２を参照しながら、ディスプレイ１０の構造の詳細を説明する。
【００３８】
図２（ａ）は、ディスプレイ１０の模式的な正面図であり、図２（ｂ）は、ディスプレイ１０の模式的な側面図であり、図２（ｃ）は、ディスプレイ１０の模式的な背面図であり、図２（ｄ）は、位置決めピン１３の模式図である。
【００３９】
ディスプレイ１０は、映像を表示する表示面１１を正面に有している。ディスプレイ１０は、背面に、磁気留め具１２と、位置決めピン１３と、コネクタ１４と、基板収納部１５と、Ｌ型金具１６とを有している。ディスプレイ１０は、複数のディスプレイを並べて映像を表示する際に、それらの境界において映像が連続するように狭額縁に設計されている。
【００４０】
基板収納部１５は、凸形状を有している。基板収納部１５は、ディスプレイ１０の背面の一部に設けられている。基板収納部１５は、ディスプレイ１０を駆動する駆動回路が実装された回路基板を収納している。このように、ディスプレイ１０では、回路基板は基板収納部１５に集約されている。
【００４１】
再び、図１および２を参照する。
【００４２】
取り付けパネル２０は、係合穴２１および２２と、収納穴２３と、コネクタ２４とを有する。係合穴２１は、ディスプレイ１０の磁気留め具１２と磁気的または機械的に係合する。また、係合穴２２は、ディスプレイ１０のＬ型金具１６と係合する。これにより、ディスプレイ１０を取り付けパネル２０に固定することができる。ディスプレイ１０の磁気留め具１２と、取り付けパネル２０の係合穴２１とは、係合機構４０（図４）を形成する。なお、係合機構４０の詳細は後述する。
【００４３】
本実施の形態では、ディスプレイ１０の背面には２つの磁気留め具１２およびＬ型金具１６がそれぞれ配置されており、取り付けパネル２０に２つの係合穴２１および２２がそれぞれ設けられている構成例を示している。ただし、それらの部品の数は特に限定されるものではなく、例えば、図１（ａ）に示す２つの磁気留め具１２の間にさらに磁気留め具を配置してもよく、２つのＬ型金具１６の間にさらにＬ型金具を配置しても構わない。これにより、ディスプレイを取り付けパネル２０により強固に固定することができる。
【００４４】
収納穴２３は、ディスプレイ１０の基板収納部１５と嵌合するように形成されている。
【００４５】
コネクタ２４は、ディスプレイ１０に電源を供給する電源ゲーブル、および映像信号や各種設定情報をディスプレイ１０に伝送する伝送ケーブルに接続される。ディスプレイ１０のコネクタ１４は、コネクタ２４と電気的に接続する。これにより、ディスプレイ１０に電源が供給され、映像信号が入力される。なお、映像信号は無線によって送信してもよいし、無線電力伝送技術を用いて電源をディスプレイ１０に供給してもよい。その場合、取り付けパネル２０にはコネクタを設なくてもよくなるので、取り付けパネル２０の構成を簡素化できる。
【００４６】
取り付けパネル２０には、位置決め用の複数の嵌合穴（不図示）が、例えば、隣接する嵌合穴の間隔が１０ｍｍになるように行列状に形成されている。隣接するディスプレイ１０の境界において、ディスプレイの間で画素ずれが発生すると、映像の連続性が崩れてしまい、表示品位が低下してしまう。
【００４７】
例えば、図２（ｃ）に例示するように、ディスプレイ１０の背面に複数の位置決めピン１３を配置する。各位置決めピン１３は、図２（ｄ）に示すように、円錐状の形状を有している。取り付けパネル２０の位置決め用の嵌合穴を目印に、位置決めピン１３の先端を嵌合穴に合わせることにより、位置決めを行うことができる。位置決めピン１３の高さは、１ｍｍ以上１０ｍｍ以下であることが好ましい。
【００４８】
本実施の形態では、図２（ｃ）に示すディスプレイ１０の背面の四隅（破線の円で囲った位置）に配置された位置決めピン１３の大きさは、他の位置決めピン１３の大きさよりも大きい。これにより、粗調整および微調整を行うことが可能となり、隣接するディスプレイの間の画素の位置を精度よく調整することができる。
【００４９】
なお、複数の位置決めピン１３が、取り付けパネル２０に配置されており、複数の嵌合穴はディスプレイ１０の背面に配置されていても構わない。このような構成においても、隣接するディスプレイの間の画素の位置を精度よく調整することができる。
【００５０】
次に、壁面３０にマルチディスプレイを配置する工法を説明する。
【００５１】
まず、取り付けパネル２０を壁面３０の形状に合わせて仮置きする。
【００５２】
次に、取り付けパネル２０の前面から貫通型の支柱２６を通じてそれを壁面３０にビス止めする。なお、取り付けパネル２０を取り付ける対象は、壁面３０に限られない。例えば、取り付けパネル２０は、建物の柱に取り付けてもよい。
【００５３】
次に、ディスプレイ１０のＬ型金具１６を取り付けパネル２０の係合穴２２に引っ掛けてから、コネクタ１４および２４を接続して、ディスプレイ１０を取り付けパネル２０に押し込む。これにより、磁気留め具１２が係合穴２１と係合し、ディスプレイ１０は取り付けパネル２０に固定される。この作業を、配置するディスプレイ１０の数だけ繰り返す。
【００５４】
最後に、ディスプレイ１０に電源を供給する電源ゲーブル、および映像信号や各種設定情報をディスプレイ１０に伝送する伝送ケーブルをコネクタ２４に接続する。
【００５５】
凸形状を有する基板収納部１５にディスプレイ１０の駆動回路を集積し、取り付けパネル２０に凹形状を有する収納穴２３を設けた理由を以下に説明する。
【００５６】
図３（ａ）および（ｂ）は、平面な壁面３０にディスプレイ１０を配置する構成を示した模式的な側面図である。図３（ａ）には、基板収納部１５および収納穴２３を設けた構成を示し、図３（ｂ）には、基板収納部１５および収納穴２３を設けていない構成を示している。いずれの場合においても、ディスプレイ１０は目地なく整然と配置することができる。
【００５７】
図３（ｃ）および（ｄ）は、凹面である壁面３０にディスプレイ１０を配置する構成を示した模式的な側面図である。図３（ｃ）には、基板収納部１５および収納穴２３を設けた構成を示し、図３（ｄ）には、基板収納部１５および収納穴２３を設けていない構成を示している。図３（ｃ）に示す構成では、ディスプレイ１０は目地なく整然と配置することができる。これに対して、図３（ｄ）に示す構成では、中央のディスプレイ１０を配置することができない。
【００５８】
図３（ｅ）および（ｆ）は、凸面である壁面３０にディスプレイ１０を配置する構成を示した模式的な側面図である。図３（ｅ）には、基板収納部１５および収納穴２３を設けた構成を示し、図３（ｆ）には、基板収納部１５および収納穴２３を設けていない構成を示している。図３（ｅ）に示す構成では、ディスプレイ１０は目地なく整然と配置することができる。これに対して、図３（ｆ）に示す構成では、隣接するディスプレイ１０の間には目地が発生してしまう。
【００５９】
このように、基板収納部１５および収納穴２３を設けることにより、壁面３０の形状に依存することなく、目地が目立たなくなるようにディスプレイ１０を整然と配置することができる。
【００６０】
なお、回路基板自体の厚さがない場合、またはディスプレイ１０を平面な壁面３０に配置する場合には、回路基板を基板収納部１５に集積化しなくてもよく、取り付けパネル２０に収納穴２３を設けなくてもよい。
【００６１】
次に、図４を参照しながら、係合機構４０の構造および動作の詳細を説明する。
【００６２】
図４は、係合機構４０の模式図である。図４（ａ）から（ｄ）の上段は、マルチディスプレイシステム１を側面から見たときの係合機構４０の側面図であり、下段は、ディスプレイ１０を背面から見たときの磁気留め具１２の背面図である。
【００６３】
図４（ａ）は、ディスプレイ１０が取り付けパネル２０に係合していない状態を示す。係合機構４０は、磁気留め具１２および係合穴２１を有する。磁気留め具１２は、ディスプレイ１０の背面に配置されている。磁気留め具１２は、弾性部材５１と、係合部材５２と、磁性体部５３と、回転軸５４とを有する。また、係合穴２１は、取り付けパネル２０に配置されている。
【００６４】
係合部材５２は、係合穴２１と係合するように構成されている。図示するように、例えば、係合部材５２は、ホック状の形状を有している。係合部材５２の先端部は、斜面５２Ａを有している。係合部材５２の先端部が係合穴２１と係合する。
【００６５】
磁性体部５３は、強磁性体（例えば、鉄、ニッケルおよびコバルト）から形成されている。磁性体部５３は、その一端において係合部材５２を支持している。また、回転軸５４は、磁性体部５３の一端を回転自在に支持する。これにより、磁性体部５３およびそれに支持された係合部材５２は、回転軸５４の周りを回転することができる。
【００６６】
弾性部材５１は、例えば、バネによって構成することができる。弾性部材５１の一端は、ディスプレイ１０の背面に固定され、他の一端は磁性体部５３に固定されている。弾性部材５１は、磁性体部５３の面に垂直な方向（図中の矢印Ｆの方向）に磁性体部５３に付勢力を付与する。係合部材５２は、係合穴２１と係合していない状態では、弾性部材５１の付勢力によって、ディスプレイ１０の背面に略垂直な方向を向いている。
【００６７】
図４（ｂ）は、係合部材５２の斜面５２Ａが係合穴２１に接した状態を示す。ディスプレイ１０を取り付けパネル２０に近づけて行き、斜面５２Ａの一部が係合穴２１に当接すると、係合部材５２は係合穴２１に滑り込むように、弾性部材５１の付勢力が増す方向に傾斜する。本願明細書では、弾性部材５１の付勢力が増す方向へ磁性体部５３が回転する方向を「時計回りの方向」と定義する。
【００６８】
図４（ｃ）は、係合部材５２と係合穴２１とが完全に係合した状態を示す。この状態では、弾性部材５１の付勢力により、係合部材５２の先端部は取り付けパネル２０の裏面に当接している。また、磁性体部５３は弾性部材５１から付勢力を受けている。磁性体部５３の一端は、取り付けパネルの表面に当接している。これにより、ディスプレイ１０は、取り付けパネル２０に機械的に強固に固定される。
【００６９】
図４（ｄ）は、係合部材５２と係合穴２１との係合を解除するために、ディスプレイ１０の前面側から磁石６０を近付けた状態を示す。磁性体部５３は、磁石６０の吸引力を受けて、時計回りの方向に回転軸５４の周りを回転する。これにより、係合部材５２と係合穴２１との係合は解除される。言い換えると、磁石６０の吸引力により、係合部材５２が時計回りの方向に回転し、取り付けパネル２０の裏面と、係合部材５２の先端部との当接が解除される。また、磁性体部５３が磁石６０に吸着されているため、その吸着力を利用してディスプレイ１０を取り付けパネル２０から取り外すことができる。
【００７０】
なお、ディスプレイ１０を取り外す際に利用する磁石には後述するマグネットハンドを用いることが好ましい。
【００７１】
次に、図５を参照しながら、マグネットハンド７０の構造および動作を説明する。
【００７２】
図５（ａ）は、マグネットハンド７０の構造を示す模式図である。マグネットハンド７０は、磁石（永久磁石）６０Ａ、６０Ｂおよびハンド部７１を含む。マグネットハンド７０は、ディスプレイ１０を吸着し、取り付けパネル２０への着脱に用いられる。図５（ａ）には、ディスプレイ１０は、磁気留め具１２およびＬ型金具１６がそれぞれ係合穴２１および２２と係合することにより、取り付けパネル２０に強固に固定されている状態を示している。
【００７３】
図５（ｂ）は、マグネットハンド７０にディスプレイ１０を吸着させた状態を示す。マグネットハンド７０には、ディスプレイ１０の背面における係合機構４０（磁気留め具１２）が設けられた位置に対応した位置に磁石６０Ａが配置されている。また、ディスプレイ１０の背面におけるＬ型金具１６が設けられた位置に対応した位置に磁石６０Ｂが配置されている。これにより、磁気留め具１２の磁性体部５３は磁石６０Ａから磁力を受けて、取り付けパネル２０の裏面と、係合部材５２の先端部との当接は解除される。その結果、係合機構４０において、ディスプレイ１０と取り付けパネル２０との係合は解除される。また、磁石６０Ａおよび６０Ｂの吸引力により磁気留め具１２およびＬ型金具１６をそれぞれ吸着することによって、マグネットハンド７０にディスプレイ１０を吸着することができる。
【００７４】
磁石６０Ａの配置位置を背面における係合機構４０の配置位置に対応させることにより、マグネットハンド７０は、磁気留め具１２と係合穴２１との係合を解除する鍵としての役割を果たしている。換言すれば、磁気留め具１２の配置位置に対応した位置に磁石６０Ａが配置されていない限り、マグネットハンド７０は鍵として機能しない。そのため、磁気留め具１２と係合穴２１との係合を解除することはできない。このように、ディスプレイ１０を取り外すためには、そのマルチディスプレイシステムに対応した固有のマグネットハンド７０が必要になる。マルチディスプレイシステムの枠組みの中で、それぞれの部品の配置位置を考慮して、ディスプレイ１０およびマグネットハンド７０を設計することにより、取り付けパネル２０に固定されたディスプレイ１０の盗難を確実に防止することができる。
【００７５】
図５（ｃ）は、ディスプレイ１０をマグネットハンド７０に吸着させたまま、マグネットハンド７０を手前に引いている状態を示している。取り付けパネル２０の裏面と、係合部材５２の先端部との当接はすでに解除されている。このため、マグネットハンド７０を手前に引き、Ｌ型金具１６と係合穴２２との係合を解除することにより、ディスプレイ１０を取り付けパネル２０から完全に取り外すことができる。
【００７６】
図５（ｄ）は、マグネットハンド７０からディスプレイ１０を取り外している状態を示している。マグネットハンド７０のハンド部７１を握ることで、マグネットハンド内部の磁石６０Ａおよび６０Ｂの吸着力が弱まり、マグネットハンド７０からディスプレイ１０を取り外すことができる。
【００７７】
このように、メンテナンスの作業員は、マグネットハンド７０を用いて取り付けパネル２０からディスプレイ１０を容易に取り外すことができる。ディスプレイ１０の間の隙間に治具を差し込んで、ディスプレイ１０を取り外さなくてもよいので、ディスプレイを損傷させることなく安全に取り外すことができる。
【００７８】
なお、取り付け時にもマグネットハンド７０を用いてもよい。ディスプレイ１０を吸着した状態で、ディスプレイ１０を取り付けパネル２０に押し付ける。ハンド部７１を握ることにより、磁石６０Ａおよび６０Ｂによる吸着が解除されて、磁気留め具１２を係合穴２１と係合させることができる。
【００７９】
本実施の形態によれば、ディスプレイ１０を取り付けパネル２０に機械的に強固に固定することができ、マグネットハンド７０を用いて取り付けパネル２０からディスプレイ１０を容易に、かつ安全に取り外すことができる。このように、ディスプレイ１０を取り付けパネル２０へ着脱するときの容易性および安定性を向上させることができる。
【００８０】
なお、磁石６０Ａおよび６０Ｂとして永久磁石の代わりに電磁石を用いると、ハンド部７１を設けなくてもよい。例えば、磁気留め具１２が係合穴２１に係合した状態において、電磁石に一時的に交流を流すことによって、磁気留め具１２の係合を解除することができる。
【００８１】
また、マグネットハンド７０には、磁石６０Ａおよび６０Ｂに隣接したヨーク（不図示）がさらに配置されていてもよい。ヨークを配置することにより、磁石６０Ａの吸引力を強くすることができる。
【００８２】
（実施の形態２）
図６を参照しながら、本実施の形態による係合機構４０Ａの構造および動作を説明する。係合機構４０Ａは、回転軸５４の代わりに、ディスプレイ１０の背面に平行な方向に摺動自在に磁性体部５３を支持する摺動支持部５５を有する点で、実施の形態１による係合機構４０とは異なる。なお、係合機構４０の構成要素と同一の構成要素についての説明は、省略する。
【００８３】
図６は、係合機構４０Ａの模式図である。図６（ａ）から（ｄ）の上段は、マルチディスプレイシステム１を側面から見たときの係合機構４０Ａの側面図であり、下段は、ディスプレイ１０を背面から見たときの磁気留め具１２の背面図である。
【００８４】
図６（ａ）は、ディスプレイ１０が取り付けパネル２０に係合していない状態を示す。係合機構４０Ａは、磁気留め具１２および係合穴２１を有する。磁気留め具１２は、ディスプレイ１０の背面に配置されている。磁気留め具１２は、弾性部材５１と、係合部材５２と、磁性体部５３と、摺動支持部５５とを有する。また、係合穴２１は、取り付けパネル２０に配置されている。
【００８５】
磁性体部５３は、その一端において係合部材５２を支持している。また、摺動支持部５５は、ディスプレイ１０の背面に平行な方向に摺動自在に磁性体部５３を支持している。これにより、磁性体部５３は、ディスプレイ１０の背面に平行な方向に摺動することができる。
【００８６】
弾性部材５１の一端は、摺動支持部５５に固定され、他の一端は係合部材５２に固定されている。弾性部材５１は、ディスプレイ１０の背面に平行な方向（図中の矢印Ｆの方向）に係合部材５２に付勢力を付与する。係合部材５２は、係合穴２１と係合していない状態では、弾性部材５１の付勢力によって、摺動支持部５５から最も離れた位置に位置している。
【００８７】
図６（ｂ）は、係合部材５２の斜面５２Ａが係合穴２１に接した状態を示す。ディスプレイ１０を取り付けパネル２０に近づけて行き、斜面５２Ａの一部が係合穴２１に当接すると、係合部材５２は係合穴２１に滑り込む。このとき、磁性体部５３は、弾性部材５１の付勢力が増す方向に摺動する。
【００８８】
図６（ｃ）は、係合部材５２と係合穴２１とが完全に係合した状態を示す。この状態では、弾性部材５１の付勢力により、係合部材５２の先端部は取り付けパネル２０の裏面に当接している。また、係合部材５２は弾性部材５１から付勢力を受けている状態である。これにより、ディスプレイ１０は、取り付けパネル２０に機械的に強固に固定される。
【００８９】
図６（ｄ）は、係合部材５２と係合穴２１との係合を解除するために、ディスプレイ１０の前面側から磁石６０を近付けた状態を示す。磁性体部５３は、磁石６０から吸引力を受けて、付勢力の方向とは反対方向に摺動する。これにより、係合部材５２と係合穴２１との係合は解除される。言い換えると、磁石６０の吸引力により、係合部材５２は、付勢力が増す方向に移動して、取り付けパネル２０の裏面と、係合部材５２の先端部との当接が解除される。また、磁性体部５３が磁石６０に吸引されているため、その吸引力を利用してディスプレイ１０を取り付けパネル２０から取り外すことができる。
【００９０】
なお、ディスプレイ１０を取り外す際に利用する磁石には上述したマグネットハンド７０を用いることが好ましい。
【００９１】
本実施の形態によれば、ディスプレイ１０を取り付けパネル２０に機械的に強固に固定することができ、マグネットハンド７０を用いて取り付けパネル２０からディスプレイ１０を容易に、かつ安全に取り外すことができる。このように、ディスプレイ１０を取り付けパネル２０へ着脱するときの容易性および安定性を向上させることができる。
【００９２】
また、磁性体部５３を水平方向のみに摺動させることによって、磁気留め具１２（係合部材５２）の高さを低背にすることができる。これにより、ディスプレイ１０と取り付けパネル２０との間の隙間をより狭くできる。ディスプレイ１０を配置する際の奥行きを低減でき、かつ、ディスプレイ１０が取り付けパネル２０から外れようとして働く力を低減できる。
【００９３】
次に、図７を参照して、本実施の形態による係合機構４０Ａの変形例を説明する。変形例である係合機構４０Ｂは、係合部材５２と磁石２８とが磁気的に係合する点で、係合機構４０Ａとは異なる。なお、係合機構４０Ａの構成要素と同一の構成要素についての説明は、省略する。
【００９４】
図７は、係合機構４０Ｂの模式図である。図７（ａ）から（ｄ）の上段は、マルチディスプレイシステム１を側面から見たときの係合機構４０Ｂの側面図であり、下段は、ディスプレイ１０を背面から見たときの磁気留め具１２の背面図である。
【００９５】
図７（ａ）は、ディスプレイ１０が取り付けパネル２０に係合していない状態を示す。係合機構４０Ｂは、磁気留め具１２および磁石２８を有する。磁気留め具１２は、ディスプレイ１０の背面に配置されている。磁気留め具１２は、係合部材５２と、磁性体部５３と、摺動支持部５５とを有する。また、磁石２８は、取り付けパネル２０に配置されている。
【００９６】
図７（ａ）には、ディスプレイ１０がマグネットハンド７０の磁石６０Ａによって吸着されている状態を示している。磁性体部５３は、磁石６０Ａの吸着力によって、図面に示す位置に位置している。また、係合部材５２の少なくとも先端部は、強磁性体（例えば、鉄、ニッケルおよびコバルト）から形成されている。係合部材５２の先端部は、磁石２８の吸引力を受けて、磁石２８に吸着する。
【００９７】
図７（ｂ）は、ディスプレイ１０の吸着を解除した状態を示す。磁石６０Ａによるディスプレイ１０の吸着を解除すると、係合部材５２の先端部が磁石２８の吸引力を受けて、磁性体部５３は、磁石２８が配置された方向にディスプレイ１０の背面上を摺動する。
【００９８】
図７（ｃ）は、係合部材５２が磁石２８に吸着した状態を示す。この状態では、係合部材５２は磁石２８に吸着されている。これにより、ディスプレイ１０は、取り付けパネル２０に磁気的に固定される。ディスプレイ１０と取り付けパネル２０との磁気的な係合を実現することができる。
【００９９】
図７（ｄ）は、ディスプレイ１０と取り付けパネル２０との磁気的な係合を解除するために、ディスプレイ１０の前面側から磁石６０Ａを近付けた状態を示す。ディスプレイ１０の背面に平行な方向における磁石６０Ａの吸引力が、磁石２８の吸着力よりも大きくなるように、磁石２８および６０Ａはそれぞれ形成されている。これにより、磁性体部５３は、磁石６０から吸引力を受けて、磁石６０Ａの方向に摺動し、係合部材５２は磁石２８から引き離される。言い換えると、係合部材５２と磁石２８との磁気的な係合は解除される。また、磁性体部５３が磁石６０Ａに吸引されているため、その吸引力を利用してディスプレイ１０を取り付けパネル２０から取り外すことができる。
【０１００】
この変形例によれば、ディスプレイ１０を取り付けパネル２０に磁気的に固定することができ、マグネットハンド７０を用いて取り付けパネル２０からディスプレイ１０を容易に、かつ安全に取り外すことができる。このように、ディスプレイ１０を取り付けパネル２０へ着脱するときの容易性および安定性を向上させることができる。
【０１０１】
また、磁性体部５３を水平方向のみに摺動させることによって、磁気留め具１２（係合部材５２）の高さを低背にすることができる。これにより、ディスプレイ１０と取り付けパネル２０との間の隙間をより狭くできる。ディスプレイ１０を配置する際の奥行きを低減できる。
【０１０２】
（他の変形例）
図８を参照して、係合機構４０の他の変形例を説明する。係合機構４０Ｃは、ギヤ５６Ａおよび５６Ｂを含み、取り付けパネル２０とディスプレイ１０とが磁気的に係合する点で、係合機構４０とは異なる。なお、係合機構４０の構成要素と同一の構成要素についての説明は、省略する。
【０１０３】
図８は、係合機構４０Ｃの模式図である。図８（ａ）から（ｄ）の上段は、マルチディスプレイシステム１を側面から見たときの係合機構４０Ｃの側面図であり、下段は、ディスプレイ１０を背面から見たときの磁気留め具１２の背面図である。
【０１０４】
図８（ａ）は、ディスプレイ１０が取り付けパネル２０に係合していない状態を示す。係合機構４０Ｃは、磁気留め具１２および磁石２８を有する。磁気留め具１２は、ディスプレイ１０の背面に配置されている。磁気留め具１２は、係合部材５２と、磁性体部５３と、回転軸５４Ａおよび５４Ｂと、ギヤ５６Ａおよび５６Ｂとを有する。また、磁石２８は、取り付けパネル２０に配置されている。
【０１０５】
回転軸５４Ａにはギヤ５６Ａが取り付けられており、ギヤ５６Ａはその軸を中心に回転する。係合部材５２の一端は回転軸５４Ａによって支持されており、係合部材５２はその軸の周りを回転することができる。また、回転軸５４Ｂにはギヤ５６Ｂが取り付けられており、ギヤ５６Ｂはその軸を中心に回転する。磁性体部５３の一端は、回転軸５４Ｂによって支持されており、磁性体部５３はその軸の周りを回転することができる。ギヤ５６Ａおよび５６Ｂは、互いに噛み合い、逆方向に回転するように構成されている。
【０１０６】
図８（ｂ）は、係合部材５２が磁石２８に吸引される状態を示す。ディスプレイ１０を取り付けパネル２０に近づけて行くと、係合部材５２は磁石２８の吸引力によって回転軸５４Ａの周りを回転しながら磁石２８に引き寄せられる。
【０１０７】
図８（ｃ）は、係合部材５２が磁石２８に吸着した状態を示す。この状態では、係合部材５２は磁石２８に吸着されている。これにより、ディスプレイ１０は、取り付けパネル２０に磁気的に固定される。ディスプレイ１０と取り付けパネル２０との磁気的な係合を実現することができる。
【０１０８】
図８（ｄ）は、ディスプレイ１０と取り付けパネル２０との磁気的な係合を解除するために、ディスプレイ１０の前面側から磁石６０を近付けた状態を示す。磁性体部５３は、磁石６０の吸引力を受けて、時計回りの方向に回転軸５４Ｂの周りを回転する。これにより、係合部材５２を反時計回りに回転させる駆動力がギヤ５６Ａおよび５６Ｂを介して回転軸５４Ａに伝わり、梃子の原理によって係合部材５２と磁石２８との係合は解除される。また、磁性体部５３が磁石６０に吸着されているため、その吸着力を利用してディスプレイ１０を取り付けパネル２０から取り外すことができる。なお、係合部材５２を反時計回りに回転させるトルクが大きくなるようにギヤ比を設定することが好ましい。
【０１０９】
他の変形例によれば、係合機構４０Ｃを用いることにより、係合機構４０Ｂを用いた場合と比較して、ディスプレイ１０を取り付けパネル２０により強固に固定することができる。その理由は、係合機構４０Ｂでは、ディスプレイ１０を取り外す方向に働く力が、磁石のせん断方向に働くのに対して、係合機構４０Ｃでは、その力が、磁石の吸着方向に働くからである。また、ギヤ比によって梃子の原理を利用しているので、ディスプレイ１０を取り付けパネル２０から容易に取り外すことができる。
【０１１０】
なお、係合機構４０Ｂおよび４０Ｃにおいて、取り付けパネル２０には磁石２８の代わりに強磁性体から形成された部材が配置され、係合部材５２は磁石によって実現されていても構わない。
【産業上の利用可能性】
【０１１１】
本発明の一態様によるマルチディスプレイシステムは、例えば、屋外または屋内の広場に設置される大型表示装置、および駅構内の案内表示装置に好適に利用することができる。
【符号の説明】
【０１１２】
１                マルチディスプレイシステム
１０              ディスプレイ
１２              磁気留め具
１３              位置決めピン
１５              基板収納部
１６              Ｌ型金具
２０              取り付けパネル
２１、２２        係合穴
２３              収納穴
１４、２４        コネクタ
２５              ビス
２６              貫通型の支柱
３０              壁面
４０、４０Ａ、４０Ｂ、４０Ｃ        係合機構
５１              弾性部材
５２              係合部材
５２Ａ            斜面
５３              磁性体部
５４、５４Ａ、５４Ｂ              回転軸
５６Ａ、５６Ｂ    ギヤ
５５              摺動支持部
２８、６０、６０Ａ、６０Ｂ    磁石
７０              マグネットハンド
７１              ハンド部
【図１】
2015210429.tif 000003
【図２】
2015210429.tif 000004
【図３】
2015210429.tif 000005
【図４】
2015210429.tif 000006
【図５】
2015210429.tif 000007
【図６】
2015210429.tif 000008
【図７】
2015210429.tif 000009
【図８】
2015210429.tif 000010